【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
試料の観察状態を変更可能な顕微鏡システムであって、
前記試料に照明光を照射する照明手段と、
対物レンズを含む一つ以上の光学部材を駆動する駆動手段と、
前記試料と前記対物レンズとの相対位置を変更する位置変更手段と、
前記一つ以上の光学部材のいずれかが駆動中であるか否か、及び、前記相対位置が変更中であるか否かを検出する検出手段と、
前記試料への照明光を投光、遮断、又は減光するように制御する制御手段と、
前記試料の観察像を撮像する撮像手段と、
前記撮像手段により撮像された画像を表示する表示手段と、を備え、
前記制御手段は、前記一つ以上の光学部材が駆動中でなく且つ前記相対位置が変更中でないことを前記検出手段が検出した場合に、前記試料への照明光を遮断または減光するように制御し、
前記撮像手段は、前記制御手段の制御により前記試料への照明光が遮断または減光される直前に、前記観察像を静止画像として撮像し、前記表示手段は前記静止画像を表示する、
ことを特徴とする顕微鏡システム。
【請求項２】
前記相対位置の変更を指示する指示手段を更に備え、
前記表示手段により前記静止画像が表示されているときに前記指示手段により前記相対位置の変更が指示されると、前記制御手段は前記試料への照明光を投光するように制御し、前記試料への照明光が投光された後に、前記撮像手段は前記観察像をライブ画像として撮像することを開始し、前記表示手段は前記ライブ画像の表示を開始する、
ことを特徴とする請求項１記載の顕微鏡システム。
【請求項３】
前記一つ以上の光学部材が駆動中でなく且つ前記相対位置が変更中でない時間を計時する計時手段を更に備え、
前記計時手段により計時された時間が所定時間を経過した場合に、前記制御手段は前記試料への照明光を遮断または減光するように制御する、
ことを特徴とする請求項１又は２記載の顕微鏡システム。
【請求項４】
前記静止画像を撮像した際の撮像条件を記憶する撮像条件記憶手段を更に備え、
前記撮像手段は、前記観察像をライブ画像として撮像することを開始する際に、前記撮像条件記憶手段に記憶された前記撮像条件の下で前記観察像の撮像を開始する、
ことを特徴とする請求項３記載の顕微鏡システム。
【請求項５】
前記相対位置の変更を指示する指示手段を更に備え、
前記制御手段による制御により前記試料への照明光が遮断または減光されているときに前記指示手段により前記相対位置の変更が指示されると、前記制御手段は前記試料への照明光を投光するように制御する、
ことを特徴とする請求項１に記載の顕微鏡システム。
【請求項６】
試料の観察状態を変更可能な顕微鏡システムであって、
前記試料に照明光を照射する照明手段と、
対物レンズを含む一つ以上の光学部材を駆動する駆動手段と、
前記試料と前記対物レンズとの相対位置を変更する位置変更手段と、
前記一つ以上の光学部材のいずれかが駆動中であるか否か、及び、前記相対位置が変更中であるか否かを検出する検出手段と、
前記試料への照明光を投光、遮断、又は減光するように制御する制御手段と、
前記試料の観察像を撮像する撮像手段と、
前記撮像手段の出力に基づいて前記観察像の焦点合わせを自動的に行う自動焦点調整手段と、を備え、
前記自動焦点調整手段により前記観察像の焦点合わせが完了したときに、前記撮像手段は前記観察像を静止画像として撮像し、前記制御手段は前記試料への照明光を遮断または減光するように制御する、
ことを特徴とする顕微鏡システム。
【請求項７】
試料の観察状態を変更可能な顕微鏡システムであって、
前記試料に照明光を照射する照明手段と、
前記試料の観察像を撮像する撮像手段と、
前記撮像手段の出力に基づいて前記観察像の焦点合わせを自動的に行う自動焦点調整手段と、
前記試料への照明光を投光、遮断、又は減光するように制御する制御手段と、
を備え、
前記自動焦点調整手段により前記観察像の焦点合わせが完了したときに、前記撮像手段は前記観察像を静止画像として撮像し、前記制御手段は前記試料への照明光を遮断または減光するように制御する、
ことを特徴とする顕微鏡システム。
【請求項８】
試料の観察状態を変更可能な顕微鏡システムの制御方法であって、
対物レンズを含む一つ以上の光学部材のいずれかが駆動中であるか否か、及び、前記試料と前記対物レンズとの相対位置が変更中であるか否かを検出し、
前記一つ以上の光学部材が駆動中でなく且つ前記相対位置が変更中でないことを検出した場合に、静止画像を撮像手段により撮像し、
前記静止画像を表示部に表示し、
前記試料への照明光を遮断または減光するように制御する、
ことを特徴とする顕微鏡システムの制御方法。
【請求項９】
試料の観察状態を変更可能な顕微鏡システムの制御方法であって、
前記試料の観察像を撮像する撮像手段の出力に基づいて前記観察像の焦点合わせを自動
的に行い、
前記観察像の焦点合わせを完了したときに前記撮像手段が前記観察像を静止画像として撮像し、
前記試料への照明光を遮断または減光するように制御する、
ことを特徴とする顕微鏡システムの制御方法。
【請求項１０】
試料の観察状態を変更可能な顕微鏡システムであって、
前記試料に照明光を照射する照明手段と、
対物レンズを含む一つ以上の光学部材を駆動する駆動手段と、
前記試料と前記対物レンズとの相対位置を変更する位置変更手段と、
前記試料への照明光を投光、遮断、又は減光するように制御する制御手段と、
前記一つ以上の光学部材の駆動又は前記相対位置の変更を指示する指示手段と、
前記試料の観察像を静止画像又はライブ画像として撮像する撮像手段と、
前記撮像手段により撮像された静止画像又はライブ画像を表示する表示手段と、
を備え、
前記指示手段による指示に応じて、前記一つ以上の光学部材の駆動又は前記相対位置の変更を行う動作、前記試料への照明光を遮断又は減光から投光へ切り換える動作、及び、前記表示手段に表示する画像を静止画像からライブ画像へ切り替える動作、の実行順序を変更する、
ことを特徴とする顕微鏡システム。
【請求項１１】
前記指示手段による指示が、ズーム光学系の駆動指示又は前記相対位置の変更指示である場合には、前記試料への照明光を遮断又は減光から投光へ切り換える動作、前記表示手段に表示する画像を静止画像からライブ画像へ切り替える動作、前記ズーム光学系を駆動する動作又は前記相対位置を変更する動作、という順序で各動作を実行する、
ことを特徴とする請求項１０記載の顕微鏡システム。
【請求項１２】
前記表示手段に表示する画像を静止画像からライブ画像へ切り替える動作を終了した後に、前記ズーム光学系を駆動する動作又は前記相対位置を変更する動作の実行を開始する、
ことを特徴とする請求項１１記載の顕微鏡システム。
【請求項１３】
前記静止画像を撮像した時の撮像条件を記憶する撮像条件記憶手段を更に備え、
前記表示手段に表示する画像を静止画像からライブ画像へ切り替える動作において、当該ライブ画像は、前記撮像条件記憶手段に最後に記憶された撮像条件の下でライブ画像として撮像される画像である、
ことを特徴とする請求項１１又は１２記載の顕微鏡システム。
【請求項１４】
前記指示手段による指示が前記対物レンズ又はキューブの駆動指示である場合には、前記対物レンズ又はキューブを駆動する動作、前記試料への照明光を遮断又は減光から投光へ切り換える動作、前記表示手段に表示する画像を静止画像からライブ画像へ切り替える動作、という順序で各動作を実行する、
ことを特徴とする請求項１０記載の顕微鏡システム。
【請求項１５】
前記対物レンズ又はキューブを駆動する動作を終了した後に、前記試料への照明光を遮断又は減光から投光へ切り換える動作の実行を開始する、
ことを特徴とする請求項１４記載の顕微鏡システム。
【請求項１６】
試料の観察状態を変更可能な顕微鏡システムの制御方法であって、
対物レンズを含む一つ以上の光学部材の駆動指示又は前記試料と前記対物レンズとの相対位置の変更指示に応じて、前記一つ以上の光学部材の駆動又は前記相対位置の変更を行う動作、前記試料への照明光を遮断又は減光から投光へ切り換える動作、及び、前記試料の観察像を撮像して表示する画像を静止画像からライブ画像へ切り替える動作、の実行順序を変更する、
ことを特徴とする顕微鏡システムの制御方法。
【請求項１７】
ズーム光学系の駆動指示又は前記相対位置の変更指示に応じて、前記試料への照明光を遮断又は減光から投光へ切り換える動作、前記試料の観察像を撮像して表示する画像を静止画像からライブ画像へ切り替える動作、前記ズーム光学系を駆動する動作又は前記相対位置を変更する動作、という順序で各動作を実行する、
ことを特徴とする請求項１６記載の顕微鏡システムの制御方法。
【請求項１８】
対物レンズ又はキューブの駆動指示に応じて、前記対物レンズ又はキューブを駆動する動作、前記試料への照明光を遮断又は減光から投光へ切り換える動作、前記試料の観察像を撮像して表示する画像を静止画像からライブ画像へ切り替える動作、という順序で各動作を実行する、
ことを特徴とする請求項１６載の顕微鏡システムの制御方法。
【手続補正２】
【補正対象書類名】明細書
【補正対象項目名】０００７
【補正方法】変更
【補正の内容】
【０００７】
上記目的を達成するため、本発明に係る顕微鏡システムは、試料の観察状態を変更可能な顕微鏡システムであって、前記試料に照明光を照射する照明手段と、対物レンズを含む一つ以上の光学部材を駆動する駆動手段と、前記試料と前記対物レンズとの相対位置を変更する位置変更手段と、前記一つ以上の光学部材のいずれかが駆動中であるか否か、及び、前記相対位置が変更中であるか否かを検出する検出手段と、前記試料への照明光を投光、遮断、又は減光するように制御する制御手段と、前記試料の観察像を撮像する撮像手段と、前記撮像手段により撮像された画像を表示する表示手段と、を備え、前記制御手段は、前記一つ以上の光学部材が駆動中でなく且つ前記相対位置が変更中でないことを前記検出手段が検出した場合に、前記試料への照明光を遮断または減光するように制御し、前記撮像手段は、前記制御手段の制御により前記試料への照明光が遮断または減光される直前に、前記観察像を静止画像として撮像し、前記表示手段は前記静止画像を表示する、ことを特徴とする。
【手続補正３】
【補正対象書類名】明細書
【補正対象項目名】０００８
【補正方法】変更
【補正の内容】
【０００８】
また、本発明に係る顕微鏡システムは、試料の観察状態を変更可能な顕微鏡システムであって、前記試料に照明光を照射する照明手段と、対物レンズを含む一つ以上の光学部材を駆動する駆動手段と、前記試料と前記対物レンズとの相対位置を変更する位置変更手段と、前記一つ以上の光学部材のいずれかが駆動中であるか否か、及び、前記相対位置が変更中であるか否かを検出する検出手段と、前記試料への照明光を投光、遮断、又は減光するように制御する制御手段と、前記試料の観察像を撮像する撮像手段と、前記撮像手段の出力に基づいて前記観察像の焦点合わせを自動的に行う自動焦点調整手段と、を備え、前記自動焦点調整手段により前記観察像の焦点合わせが完了したときに、前記撮像手段は前記観察像を静止画像として撮像し、前記制御手段は前記試料への照明光を遮断または減光するように制御する、ことを特徴とする。
【手続補正４】
【補正対象書類名】明細書
【補正対象項目名】０００９
【補正方法】変更
【補正の内容】
【０００９】
また、本発明に係る顕微鏡システムは、試料の観察状態を変更可能な顕微鏡システムであって、前記試料に照明光を照射する照明手段と、前記試料の観察像を撮像する撮像手段と、前記撮像手段の出力に基づいて前記観察像の焦点合わせを自動的に行う自動焦点調整手段と、前記試料への照明光を投光、遮断、又は減光するように制御する制御手段と、を備え、前記自動焦点調整手段により前記観察像の焦点合わせが完了したときに、前記撮像手段は前記観察像を静止画像として撮像し、前記制御手段は前記試料への照明光を遮断または減光するように制御する、ことを特徴とする。
【手続補正５】
【補正対象書類名】明細書
【補正対象項目名】００１０
【補正方法】変更
【補正の内容】
【００１０】
また、本発明に係る顕微鏡システムの制御方法は、試料の観察状態を変更可能な顕微鏡システムの制御方法であって、対物レンズを含む一つ以上の光学部材のいずれかが駆動中であるか否か、及び、前記試料と前記対物レンズとの相対位置が変更中であるか否かを検出し、前記一つ以上の光学部材が駆動中でなく且つ前記相対位置が変更中でないことを検出した場合に、静止画像を撮像手段により撮像し、前記静止画像を表示部に表示し、
前記試料への照明光を遮断または減光するように制御する、ことを特徴とする。
【手続補正６】
【補正対象書類名】明細書
【補正対象項目名】００１１
【補正方法】変更
【補正の内容】
【００１１】
また、本発明に係る顕微鏡システムの制御方法は、試料の観察状態を変更可能な顕微鏡システムの制御方法であって、前記試料の観察像を撮像する撮像手段の出力に基づいて前記観察像の焦点合わせを自動的に行い、前記観察像の焦点合わせを完了したときに前記撮像手段が前記観察像を静止画像として撮像し、前記試料への照明光を遮断または減光するように制御する、ことを特徴とする。
【手続補正７】
【補正対象書類名】明細書
【補正対象項目名】００１２
【補正方法】変更
【補正の内容】
【００１２】
また、本発明に係る顕微鏡システムは、試料の観察状態を変更可能な顕微鏡システムであって、前記試料に照明光を照射する照明手段と、対物レンズを含む一つ以上の光学部材を駆動する駆動手段と、前記試料と前記対物レンズとの相対位置を変更する位置変更手段と、前記試料への照明光を投光、遮断、又は減光するように制御する制御手段と、前記一つ以上の光学部材の駆動又は前記相対位置の変更を指示する指示手段と、前記試料の観察像を静止画像又はライブ画像として撮像する撮像手段と、前記撮像手段により撮像された静止画像又はライブ画像を表示する表示手段と、を備え、前記指示手段による指示に応じて、前記一つ以上の光学部材の駆動又は前記相対位置の変更を行う動作、前記試料への照明光を遮断又は減光から投光へ切り換える動作、及び、前記表示手段に表示する画像を静止画像からライブ画像へ切り替える動作、の実行順序を変更する、ことを特徴とする。
【手続補正８】
【補正対象書類名】明細書
【補正対象項目名】００１３
【補正方法】変更
【補正の内容】
【００１３】
また、本発明に係る顕微鏡システムの制御方法は、試料の観察状態を変更可能な顕微鏡システムの制御方法であって、対物レンズを含む一つ以上の光学部材の駆動指示又は前記試料と前記対物レンズとの相対位置の変更指示に応じて、前記一つ以上の光学部材の駆動又は前記相対位置の変更を行う動作、前記試料への照明光を遮断又は減光から投光へ切り換える動作、及び、前記試料の観察像を撮像して表示する画像を静止画像からライブ画像へ切り替える動作、の実行順序を変更する、ことを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】